(57)【要約】【課題】省電力機能を有するネットワーク装置が省電力状態から復帰する際に、特定のユーザや、ネットワークアドレスを持つ機器からのみ省電力状態の復帰ができるネットワーク装置を提供する事を目的とする。【解決手段】省電力状態から復帰するための送信元情報を含む特定のビットパターンを設定する設定手段と、設定されている特定のビットパターンと入力信号が一致するか否かを判断する手段と、省電力状態から復帰する手段を有する構成とする。【選択図】        図１
2006270538.tif 000002
【特許請求の範囲】
【請求項１】
省電力機能を有するネットワーク装置であって、
省電力状態か否かを判断する手段と、省電力状態から復帰するための送信元情報を含む特定のビットパターンを設定する設定手段と、前記特定のビットパターンを記憶する記憶手段と、ネットワークからの入力信号のパターンを取得する手段と、設定されている前記設定されている特定のビットパターンと前記ネットワークからの入力信号が一致するか否かを判断する手段と、省電力状態から復帰する手段を有することを特徴とするネットワーク装置。
【請求項２】
前記省電力状態から復帰するための送信元情報を含む特定のビットパターンに、ユーザＩＤまたはグループＩＤまたは送信元アドレス情報が含まれることを特徴とする、請求項１記載のネットワーク装置装置。
【請求項３】
前記省電力状態から復帰するための送信元情報を含む特定のビットパターンに、パスワードが含まれることを特徴とする、請求項１または請求項２記載のネットワーク装置装置。
【請求項４】
前記ネットワーク装置が画像形成装置（プリンタ、ＭＦＰなど）である請求項１から３いずれか記載のネットワーク装置装置。
【請求項５】
省電力状態か否かを判断するステップと、省電力状態から復帰するための送信元情報を含む特定のビットパターンを設定する設定ステップと、前記特定のビットパターンを記憶する記憶ステップと、ネットワークからの入力信号のパターンを取得するステップと、設定されている前記設定されている特定のビットパターンと前記ネットワークからの入力信号が一致するか否かを判断するステップと、省電力状態から復帰する手段を有することを特徴とする省電力状態からの復帰方法。
【請求項６】
前記省電力状態から復帰するための送信元情報を含む特定のビットパターンに、ユーザＩＤまたはグループＩＤまたは送信元アドレスが含まれることを特徴とする、請求項５記載の省電力状態からの復帰方法。
【請求項７】
前記省電力状態から復帰するための送信元情報を含む特定のビットパターンに、パスワードが含まれることを特徴とする、請求項５または請求項６記載の省電力状態からの復帰方法。
【請求項８】
請求項５から７いずれかに記載の方法を実行するコンピュータプログラムを有する記憶媒体。
【発明の詳細な説明】
【技術分野】
【０００１】
省電力機能を備えたネットワーク装置、省電力状態からの復帰方法および記憶媒体に関する。
【背景技術】
【０００２】
消費電力の節約のために、一定時間以上使用されない場合には自動的に省電力状態に移行する機能を有するネットワーク機器が存在する。
【０００３】
前記ネットワーク機器は、省電力状態にある場合、ネットワークを介して他の機器から操作されることで省電力状態から復帰する。省電力状態から復帰する方法として、ネットワークからの入力信号を受信し、受信した入力信号のパターンが予め登録された入力信号パターンと一致する入力があった場合に省電力状態から復帰する方式が提案されている。
【０００４】
省電力状態から復帰するための入力信号パターンとして、マジックパケット（Ｍａｇｉｃ  ＰａｃｋｅｔＴＭ）と呼ばれる通常は送信されない特殊な入力信号パターンによって復帰する方法が提案されている。ここでいう入力信号パターンとは、Ｅｔｈｅｒｎｅｔ(登録商標)におけるパケットのパターンのことであり、本発明の適用範囲はＥｔｈｅｒｎｅｔ(登録商標)とは限らないため一般的に入力信号パターンと称した。
【０００５】
しかしながら、前記の省電力機能を備えたネットワーク機器は、省電力状態から復帰するための入力信号パターンとして、省電力状態にあるネットワーク機器のＭＡＣアドレスなど、既知の予め決められた入力信号パターンを利用するために、予め決められた入力信号パターンを知る人がだれても省電力を解除できてしまう。
【０００６】
そのため、省電力状態から復帰させる必要の無いネットワーク機器に関しても、省電力状態から復帰してしまう場合があり、省電力状態を長時間保つことができないというデメリットを持つ。
【０００７】
また、特許文献１には、応答できない機器の場合に代行する機器を設ける技術の記載がある。
【特許文献１】特開２００２−２８７９３６号公報
【発明の開示】
【発明が解決しようとする課題】
【０００８】
そこで、本発明は、不要な入力信号パターンからは省電力状態から復帰せずに、省電力状態から復帰させる必要のある、ネットワーク管理者や特定のユーザ、または、ネットワーク機器など、特定の送信元からの入力信号パターンにより省電力状態から復帰させることにより、省電力状態を長時間保つことができる、省電力機能を備えたネットワーク機器、省電力状態からの復帰方法、省電力状態からの復帰方法を実行するコンピュータプログラムを有する記憶媒体を提供することを目的とする。
【課題を解決するための手段】
【０００９】
上記目的を達成するために、本発明の省電力機能を備えたネットワーク機器は、省電力機能を有するネットワーク装置であって、省電力状態か否かを判断する手段と、省電力状態から復帰するための送信元情報を含む特定のビットパターンを設定する設定手段と、前記特定のビットパターンを記憶する記憶手段と、ネットワークからの入力信号のパターンを取得する手段と、設定されている前記設定されている特定のビットパターンと前記ネットワークからの入力信号が一致するか否かを判断する手段と、省電力状態から復帰する手段を有することを特徴とする。
【００１０】
さらに望ましくは、前記省電力状態から復帰するための送信元情報を含む特定のビットパターンに、ユーザＩＤまたはグループＩＤが含まれることを特徴とする。
【００１１】
さらに望ましくは、前記省電力状態から復帰するための送信元情報を含む特定のビットパターンに、パスワードが含まれることを特徴とする。
【発明の効果】
【００１２】
本発明によれば、不要な入力信号パターンからは省電力状態から復帰せずに、省電力状態から復帰させる必要のある、ネットワーク管理者や特定のユーザ、または、ネットワーク機器など、特定の送信元からの入力信号パターンにより省電力状態から復帰させることにより、省電力状態を長時間保つことができる、省電力機能を備えたネットワーク機器、省電力状態からの復帰方法、省電力状態からの復帰方法を実行するコンピュータプログラムを有する記憶媒体を提供するという効果がある。
【発明を実施するための最良の形態】
【００１３】
以下で、図面を用いて、本発明の実施例の説明を行う。
【実施例】
【００１４】
本発明の実施に必要な機器の構成を図１、図２に示す。また、図３、図４は本発明の手順を記したフローチャートである。
【００１５】
電気的信号が図１のユーザＰＣ１またはユーザＰＣ２からネットワークを経由して、対象機器である図１の機器ＤＥＶ１に入力される。ユーザからの直接の操作やＤＥＶ１に対するある条件を満たす電気的入力がなくなると、機器ＤＥＶ１は省電力状態へ移行する。ここでいうある条件とは、何時間、どのような入力信号がないと省電力状態へ移行するなどの条件であり、機器に予め設定された設定値であり、ユーザによっても設定することが可能である。省電力状態へ移行すると、図２のコントローラＣＮＴＬ１及び装置本体ＥＮＧ１には、必要最小限の電力のみが供給されるようになる。
【００１６】
機器が省電力状態へ移行すると、図２のＬＡＮＣ１において、図４のＳ１０１を基点に、図４の入力信号の比較に使用される、省電力状態から復帰するための送信元情報を含む特定のビットパターンを設定を行うためのフローが実行される。ステップＳ１０２において、送信元情報を含む特定ビットパターンで復帰する設定を行うかを判断し、設定しなければ、図４のステップを終了（Ｓ１０９）する。ステップＳ１０２において、送信元情報を含む特定ビットパターンで復帰する設定を行う場合には、ステップＳ１０３で省電力状態からの復帰を許可するユーザＩＤを設定設定するか判断し、ユーザＩＤの設定を行う場合は、ステップＳ１０４で復帰を許可するリストにユーザＩＤを設定を行う。続けて、ステップＳ１０５で省電力状態からの復帰を許可するグループＩＤを設定するか判断し、Ｓ１０５においてグループＩＤの設定を行う場合は、ステップＳ１０６で復帰を許可するリストにグループＩＤを設定を行う。続けて、ステップＳ１０７で省電力状態からの復帰を許可する送信元アドレスを設定するか判断し、Ｓ１０７において送信元アドレスの設定を行う場合は、ステップＳ１０８で復帰を許可するリストに送信元アドレスを設定を行い、ステップＳ１０９で省電力状態から復帰するための送信元情報を含む特定のビットパターンを設定を終了する。
【００１７】
上記までに入力信号比較のためのパターン設定のフローを説明したが、設定されたパターンを元に以下のフローで省電力から復帰するか否かの判断が成される。
【００１８】
図３のＳ００１を基点として、図３においてはステップＳ００２で、図２のＬＡＮコントローラＬＡＮＣ１はネットワーク（図２のＬＡＮ１）からの入力待ちを行う。図２のＬＡＮコントローラは、図３のステップＳ００３において、ネットワークからの入力があるか否かを判断し、入力がない場合には、再度Ｓ００２に戻る。ステップＳ００３で入力があったと判断された場合には、ステップＳ００４で設定されている入力信号のパターンを取得する。その後、ステップＳ００５で、入力信号と、設定された信号パターンを比較し、同じであれば、省電力状態から復帰する。または、同じでない場合には、ステップＳ００２に戻る。省電力状態から復帰すると、図２のＬＡＮＣ１は、コントローラへ起動信号を送り、さらに、コントローラは起動信号を機器本体ＥＮＧ１へ送り、機器が省電力状態から復帰する。ただし、コントローラのみが起動するかは設定と機器の仕様による。また、機器本体ＥＮＧ１への起動信号はＬＡＮＣ１から直接送信する場合もある。
【００１９】
図４のフローチャートのステップＳ１０４、ステップＳ１０６、ステップＳ１０８に記述した省電力状態から復帰するための送信元情報を含む特定のビットパターンの設定は、予めユーザが装置の図１のＤＥＶ１の操作パネルを通して、設定することもでき、また、ネットワークを介して、他の機器、例えば、図１のＰＣ１またはＰＣ２から設定することも可能であり、設定された省電力状態から復帰するための送信元情報を含む特定のビットパターンは、ＤＥＶＩ内のＬＡＮＣ１の記憶媒体に格納されている。
【図面の簡単な説明】
【００２０】
【図１】本発明に関わる機器の構成図
【図２】本発明に関わる機器の内部構成図
【図３】本発明に関わる省電力状態から復帰するためのフローチャートを示す図
【図４】本発明に関わる省電力状態から復帰するための送信元情報を含む特定のビットパターンを設定を行うためのフローチャートを示す図
【符号の説明】
【００２１】
ＰＣ１        機器へ入力信号を送るユーザが使用する機器
ＰＣ２        機器へ入力信号を送るユーザが使用する機器
ＤＥＶ１      省電力機能を有するネットワーク機器
ＬＡＮ１      ＰＣ１、ＰＣ２、ＤＥＶ１を接続するネットワーク
ＬＡＮＣ１    ＤＥＶ１のネットワーク制御装置
ＣＮＴＬ１    ＤＥＶ１の制御装置
ＥＮＧ１      ＤＥＶ１の機器本体装置
ＰＯＷ１      ＤＥＶ１の電源装置
Ｓ００１      入力信号パターン一致のフロー開始ステップ
Ｓ００２      ネットワークからの入力待ちステップ
Ｓ００３      ネットワークから入力があるか否かを判断するステップ
Ｓ００４      設定されている入力信号のパターンを取得するステップ
Ｓ００５      設定されている入力信号のパターンと入力信号が一致するか否かを判断するステップ
Ｓ００６      省電力状態から復帰するステップ
Ｓ１０１      省電力状態から復帰するパターンの設定開始ステップ
Ｓ１０２      送信元情報を含む特定ビットパターンで復帰する設定を行うか否かを判断するステップ
Ｓ１０３      省電力状態からの復帰を許可するユーザＩＤを設定を行うか否かを判断するステップ
Ｓ１０４      復帰を許可するリストにユーザＩＤを設定するステップ
Ｓ１０５      省電力状態からの復帰を許可するグループＩＤを設定を行うか否かを判断するステップ
Ｓ１０６      復帰を許可するリストにグループＩＤを設定するステップ
Ｓ１０７      省電力状態からの復帰を許可する送信元アドレスを設定を行うか否かを判断するステップ
Ｓ１０８      復帰を許可するリストに送信元アドレスを設定するステップ
Ｓ１０９      省電力状態から復帰するパターンの設定終了ステップ
【図１】
2006270538.tif 000003
【図２】
2006270538.tif 000004
【図３】
2006270538.tif 000005
【図４】
2006270538.tif 000006